(57)【要約】【課題】電源電圧が所定の電圧値まで低下した場合において、出力したパルスが外部機器により受信されたか否かを判断することのできる物理量伝送装置及び方法を提供することを目的とする。【解決手段】積算熱量計は、対象となる物理量である熱媒体の熱量を積算し、積算熱量が単位積算量まで積算されるごとに、予め設定されたパルス幅のパルスを出力する、熱量積算部とパルス変換部とを含むパルス出力回路を備える。パルス出力回路は、電源電圧が第一の電圧値まで低下したことを示す監視信号を受信すると、パルスの出力をオフにする。積算熱量計１は、パルス出力回路により出力されるパルスのオン時間を計測するパルス出力時間計測部を有する。また、積算熱量計１は、パルス出力回路によりオフにされたパルスのオン時間と、所定の閾値とを比較する比較回路である演算部と、演算部による比較結果を記憶する記憶部とを有する。【選択図】  図１
2018194991.tif 000002
【特許請求の範囲】
【請求項１】
対象となる物理量の測定値を積算し、単位積算量ごとに、予め設定されたパルス幅のパルスを出力し、電源電圧が第一の電圧値まで低下したことを示す監視信号を受信すると、前記パルスの出力をオフにするパルス出力回路と、
前記パルスのオン時間を計測するタイマと、
前記パルスの前記オン時間と所定の閾値とを比較する比較回路と、
前記比較回路による比較結果を記憶する不揮発性メモリと、
を備えることを特徴とする物理量伝送装置。
【請求項２】
前記不揮発性メモリは、前記パルス出力回路が前記監視信号を受信した場合に出力がオフにされた前記パルスについての、前記オン時間と前記所定の閾値との前記比較結果を記憶することを特徴とする請求項１に記載の物理量伝送装置。
【請求項３】
前記不揮発性メモリに記憶された前記比較結果が、前記パルスの前記オン時間が前記閾値未満であったことを示しているときには、前記パルス出力回路に対して、前記オン時間が前記閾値未満であった前記パルスを、前記予め設定されたパルス幅のパルスとして出力することを指令する指令信号を送信する出力指令回路をさらに備え、
前記パルス出力回路は、前記指令信号を受信すると、前記不足分パルスを出力することを特徴とする請求項１又は請求項２に記載の物理量伝送装置。
【請求項４】
前記出力指令回路は、前記電源電圧が前記第一の電圧値からさらに、第二の電圧値まで低下した場合に実行されるリセット処理の後に、前記パルス出力回路に対して、前記指令信号を送信することを特徴とする請求項３に記載の物理量伝送装置。
【請求項５】
前記閾値は、前記パルスを受信する受信装置が受信可能なパルス幅であることを特徴とする請求項１から４のいずれか１項に記載の物理量伝送装置。
【請求項６】
前記パルス出力回路は、前記対象となる物理量として熱量を積算することを特徴とする請求項１から５のいずれか１項に記載の物理量伝送装置。
【請求項７】
対象となる物理量の測定値を積算し、単位積算量ごとに、予め設定されたパルス幅のパルスを出力し、電源電圧が第一の電圧値まで低下したことを示す監視信号を受信すると、前記パルスの出力をオフにするパルス出力ステップと、
前記パルスのオン時間を計測する計時ステップと、
前記パルスの前記オン時間と所定の閾値とを比較する比較ステップと、
前記比較回路による比較結果を不揮発性メモリに記憶する記憶ステップと、
を備えることを特徴とする物理量伝送方法。
【発明の詳細な説明】
【技術分野】
【０００１】
本発明は、物理量を積算し、予め定められた単位量が積算されるごとにパルスを出力する物理量伝送装置に関する。
【背景技術】
【０００２】
従来より、物理量を積算し、予め定められた単位量が積算されるごとにパルスを出力する物理量伝送装置があり、例えば、冷暖房などの熱交換器で消費される熱量を計測する物理量伝送装置としては、積算熱量計がある。積算熱量計は、熱交換器を通過する冷温水などの熱媒体の流量と、熱媒体の送り側と返り側の温度とから消費された熱量を求め、予め定められた熱量が積算されるごとにパルスを出力し、出力されたパルスは外部機器である遠隔カウンタにより受信される（例えば、「特許文献１」参照。）。このような積算熱量計は、使用熱量の課金用途に使用されることもある。したがって、積算熱量計の計量値をパルスとして外部出力する場合に、出力したパルス数と外部機器により受信されたパルス数が一致していなければならない。
【０００３】
ところが、停電等の発生により電源電圧が低下すると、積算熱量計によりパルスが出力されている途中にパルス出力がオフになってしまう場合があり、そのような、オン状態の途中でオフとなったパルスが外部機器により受信されていたか否かが不明なことがあった。
【０００４】
そこで、従来の積算熱量計では、パルスを出力している途中でパルス出力がオフになってしまうことを防止するために、コンデンサ等の停電防止装置を設けてパルスの出力時間を確保していた。
【０００５】
しかし、従来の積算熱量計では、パルスの出力時間を確保するためには、容量の大きいコンデンサが必要な場合があった。そのため、容量の大きいコンデンサを組み込んだ従来の積算熱量計は、回路規模が大きくなり、積算熱量計のサイズも大きくなってしまう問題があった。
【先行技術文献】
【特許文献】
【０００６】
【特許文献１】特開２０１２−１８５６１３号公報
【発明の概要】
【発明が解決しようとする課題】
【０００７】
本発明は、電源電圧が所定の電圧値まで低下した場合において、出力したパルスが外部機器により受信されたか否かを判断することのできる物理量伝送装置及び方法を提供することを目的とする。
【課題を解決するための手段】
【０００８】
上述した課題を解決するために、本発明に係る物理量伝送装置は、対象となる物理量の測定値を積算し、単位積算量ごとに、予め設定されたパルス幅のパルスを出力し、電源電圧が第一の電圧値まで低下したことを示す監視信号を受信すると、前記パルスの出力をオフにするパルス出力回路と、前記パルスのオン時間を計測するタイマと、前記パルスの前記オン時間と所定の閾値とを比較する比較回路と、前記比較回路による比較結果を記憶する不揮発性メモリと、を備えることを特徴とする。
【０００９】
また、本発明に係る物理量伝送装置において、前記不揮発性メモリは、前記パルス出力回路が前記監視信号を受信した場合に出力がオフにされた前記パルスについての、前記オン時間と前記所定の閾値との前記比較結果を記憶してもよい。
【００１０】
また、本発明に係る物理量伝送装置において、前記不揮発性メモリに記憶された前記比較結果が、前記パルスの前記オン時間が前記閾値未満であったことを示しているときには、前記パルス出力回路に対して、前記オン時間が前記閾値未満であった前記パルスを、前記予め設定されたパルス幅のパルスとして出力することを指令する指令信号を送信する出力指令回路をさらに備えていてもよい。
【００１１】
また、本発明に係る物理量伝送装置において、前記出力指令回路が、前記電源電圧が前記第一の電圧値からさらに、第二の電圧値まで低下した場合に実行されるリセット処理の後に、前記パルス出力回路に対して、前記指令信号を送信してもよい。
【００１２】
また、本発明に係る物理量伝送装置において、前記閾値が、前記パルスを受信する受信装置が受信可能なパルス幅であってもよい。
【００１３】
また、本発明に係る物理量伝送装置において、前記パルス出力回路が、前記対象となる物理量として熱量を積算してもよい。
【００１４】
また、本発明に係る物理量伝送方法は、対象となる物理量の測定値を積算し、単位積算量ごとに、予め設定されたパルス幅のパルスを出力し、電源電圧が第一の電圧値まで低下したことを示す監視信号を受信すると、前記パルスの出力をオフにするパルス出力ステップと、前記パルスのオン時間を計測する計時ステップと、前記パルスの前記オン時間と所定の閾値とを比較する比較ステップと、前記比較回路による比較結果を不揮発性メモリに記憶する記憶ステップと、を備えることを特徴とする。
【発明の効果】
【００１５】
本発明によれば、電源電圧が所定の電圧値まで低下するとパルス出力をオフにし、そのパルスのオン時間と閾値とを比較して、比較結果を不揮発性メモリに記憶する。これにより、電源電圧が所定の電圧値まで低下した場合において、パルスが外部機器により受信されたか否かを判断することができるので、コンデンサ等の停電防止装置を用いずに、出力すべきパルス数と実際に出力されたパルス数との不一致を防止することが可能となる。
【図面の簡単な説明】
【００１６】
【図１】図１は、本発明の実施の形態に係る積算熱量計を含む積算熱量計システムの構成を説明する図である。
【図２】図２は、本発明の実施の形態に係る積算熱量計の通常動作を説明するためのフローチャートである。
【図３】図３は、本発明の実施の形態に係る積算熱量計において、電源電圧が低下した場合の動作を説明するためのフローチャートである。
【図４】図４は、本発明の実施の形態に係る積算熱量計により出力されるパルス信号の一例を示す図である。
【図５】図５は、本発明の実施の形態に係る積算熱量計における起動処理の一例を示すフローチャートである。
【図６】図６は、本発明の実施の形態に係る積算熱量計のハードウェア構成の一例を示すブロック図である。
【発明を実施するための形態】
【００１７】
以下、本発明の好適な実施の形態について、図１から図６を参照して詳細に説明する。また、以下の実施の形態では、本発明に係る物理量伝送装置を積算熱量計に適用した場合について説明する。
【００１８】
＜実施の形態＞
本発明の実施の形態に係る積算熱量計は、対象となる物理量である熱媒体の熱量を積算し、積算熱量が単位積算量まで積算されるごとに、予め設定されたパルス幅のパルスを出力する、熱量積算部とパルス変換部とを含むパルス出力回路を備える。パルス出力回路は、電源電圧が第一の電圧値まで低下したことを示す監視信号を受信すると、パルスの出力をオフにする。積算熱量計１は、パルス出力回路により出力されるパルスのオン時間を計測するパルス出力時間計測部を有する。また、積算熱量計１は、パルス出力回路によりオフにされたパルスのオン時間と、所定の閾値とを比較する比較回路である演算部と、演算部による比較結果を記憶する記憶部とを有する。
【００１９】
図１は、本発明の実施の形態に係る積算熱量計１を含む積算熱量計システムの構成を説明する図である。積算熱量計１を含んで構成される積算熱量計システムでは、熱供給器（図示しない）によって温水等の熱媒体に熱エネルギーが与えられ、熱媒体は送り管２ａから熱交換器（図示しない）に配送され、負荷で熱エネルギーが消費された熱媒体は、返り管２ｂから再び熱供給器へ返送される。このような積算熱量計システムは、地域冷暖房システムに用いられる。
【００２０】
積算熱量計システムは、積算熱量計１と、送り管２ａと、返り管２ｂと、温度センサ３ａ、３ｂと、電源４とを含んで構成される。積算熱量計１は、流量測定部１０、Ａ／Ｄ変換部１１、演算部１２、記憶部１３、表示部１４、設定部１５、出力回路１６、リセット回路１７、及び電源監視回路１８から構成される。演算部１２は、熱量積算部１２１、パルス変換部１２２、及びパルス出力時間計測部１２３から構成される。
【００２１】
図２は、本実施の形態の積算熱量計１の通常動作を説明するためのフローチャートである。演算部１２は、まず起動処理を実行し（ステップＳ１１）、積算熱量計１における内部回路を初期化して、演算部１２がステップＳ１１以降に実行する一連の処理が初期状態から開始されるようにする。なお、起動処理の詳細については後述する。
【００２２】
流量測定部１０は、返り管２ｂを流れる熱媒体の流量を測定し、流量を示す流量信号を演算部１２に出力する。そして、演算部１２は、流量測定部１０から流量信号を受信する（ステップＳ１２）。
【００２３】
Ａ／Ｄ変換部１１は、送り管２ａを通る熱媒体の温度を示すアナログ信号を温度センサ３ａから受信し、返り管２ｂを通る熱媒体の温度を示すアナログ信号を温度センサ３ｂから受信する。さらに、Ａ／Ｄ変換部１１は、温度センサ３ａ、３ｂにより検出されたアナログ信号をデジタル信号に変換して出力する。演算部１２は、熱媒体の温度を示すデジタル信号をＡ／Ｄ変換部１１から受信する（ステップＳ１３）。
【００２４】
次に、演算部１２は、ステップＳ１２で受信した、熱媒体が返り管２ｂを流れる流量を示す流量信号と、ステップＳ１３で受信した、送り管２ａと返り管２ｂとをそれぞれ流れる熱媒体の温度を示す温度信号とに基づいて、負荷で消費された熱量を演算する（ステップＳ１４）。具体的には、演算部１２の熱量積算部１２１は、熱媒体の流量と、送り管２ａを流れる熱媒体の温度と返り管２ｂを流れる熱媒体の温度の差を乗算し、この乗算結果に熱媒体の比熱を乗ずることで、負荷で消費された熱量を演算する。
【００２５】
そして、熱量積算部１２１は、算出した熱量を積算して、積算熱量が記憶部１３に予め記憶されている所定の積算熱量値（以下、「単位熱量」という。）に達したか否かを判断する（ステップＳ１５）。積算熱量が単位熱量に達した場合には（ステップＳ１５；ＹＥＳ）、パルス変換信号が熱量積算部１２１からパルス変換部１２２に出力される。パルス変換部１２２は、熱量積算部１２１からのパルス変換信号を受信すると、パルスを生成する。
【００２６】
パルス変換部１２２により生成されるパルスとしては、所定のパルス幅を有する矩形波等が用いられる。本実施の形態では、パルス幅が１００ｍｓである場合について説明する。また、１パルスあたりの単位熱量としては、例えば、１ＭＪ、１０ＭＪ等を採用してもよい。
【００２７】
また、熱量積算部１２１がステップＳ１５で積算熱量の演算に用いる単位熱量は、予め設定部１５を介して入力され、記憶部１３に記憶される。なお、単位熱量の他にも、積算熱量計１の動作に必要な環境設定などは、設定部１５を介して入力されてもよい。
【００２８】
次に、パルス変換部１２２は、単位熱量を示すパルスを、通信インターフェース機能を有する出力回路１６を介して遠隔カウンタ等の外部機器に出力する（ステップＳ１６）。このとき、パルス出力時間計測部１２３は、パルス変換部１２２によって生成され、出力回路１６を介して出力されるパルスの出力時間を計測し（ステップＳ１６）、記憶部１３に記憶する。パルスの出力時間は、積算熱量計１の電源電圧が安定している場合の通常動作では、１００ｍｓである。
【００２９】
ステップＳ１６において、パルス変換部１２２が出力回路１６を介してパルスを出力し、パルス出力時間計測部１２３がパルスの出力時間を記憶部１３に記憶すると、演算部１２（熱量積算部１２１、パルス変換部１２２、パルス出力時間計測部１２３）は、再びステップＳ１２からステップＳ１６までの処理を繰り返す。
【００３０】
このように、電源４の電圧値が安定している場合の積算熱量計１の通常動作においては、演算部１２は、熱媒体の積算熱量が単位熱量に達するごとに、パルスを生成し、出力回路１６を介して外部機器へ出力する。外部機器においては、積算熱量計１で用いる単位熱量の情報と、受信したパルス数に基づいて、積算熱量計１により算出された消費熱量を把握することができる。
【００３１】
次に、停電などの発生により、積算熱量計１の電源４の電圧が低下した場合の積算熱量計１の動作を説明する。図３は、本実施の形態に係る積算熱量計１において、電源４の電圧が低下した場合の動作を説明するためのフローチャートである。図４は、本実施の形態に係る積算熱量計１により出力されるパルス信号の一例を示す図である。
【００３２】
停電などの発生により、電源４の電源電圧ＶＤＤが、第一の電圧値Ｖ１を下回ると、電源４を監視する電源監視回路１８は、電源電圧ＶＤＤが第一の電圧値Ｖ１まで下がったことを示す監視信号を演算部１２に出力する。そして、電源電圧ＶＤＤが第一の電圧値Ｖ１からさらに低下して、例えば、演算部１２の動作が不安定になる恐れのある第二の電圧値Ｖ２を下回ると、電源４を監視するリセット回路１７は、積算熱量計１の内部回路の初期化を指令するリセット信号を演算部１２に出力する。
【００３３】
このように、電源監視回路１８は、積算熱量計１の内部回路にリセットが生じ、演算部１２が原則として演算処理を実行できなくなってしまう前に、演算部１２に対して、監視信号による警報を発信する。そして、演算部１２は監視信号を受信すると、リセットが生ずる前に以下の退避処理を実行する。
【００３４】
まず、演算部１２は、電源監視回路１８から、電源電圧ＶＤＤが第一の電圧値Ｖ１まで低下したことを示す監視信号を受信する（ステップＳ２１）。次に、演算部１２は、パルス変換部１２２が出力回路１６を介して出力しているパルスがオンであるか否かを判断する（ステップＳ２２）。パルス出力がオンである場合には（ステップＳ２２；ＹＥＳ）、演算部１２（パルス変換部１２２）は、パルス出力をオフにする（ステップＳ２３）。この場合において演算部１２が出力するパルスは、パルス幅が、予め設定された時間の１００ｍｓよりも小さいものとなる。
【００３５】
次に、演算部１２は、ステップＳ２３でパルス出力をオンからオフにしたパルスにおいて、オンの状態が持続されていた時間を、記憶部１３から読み出す。パルス出力のオンの状態が持続されていた時間（以下、「オン時間」という。）は、パルス出力時間計測部１２３により計測され、記憶部１３に記憶されている。そして、演算部１２（比較回路）は、記憶部１３から読み出したパルス出力のオン時間と所定の閾値とを比較する（ステップＳ２４）。
【００３６】
ここで、閾値とは、積算熱量計１が出力するパルスを受信する、外部機器が受信可能なパルス幅である。本実施の形態では、閾値が５０ｍｓである場合、即ち、外部受信器により受信可能なパルス幅が５０ｍｓである場合について説明する。閾値は、外部機器の受信可能パルス幅に応じて設定される値であるため、事前に設定部１５から入力されて、記憶部１３に記憶されている。
【００３７】
図４に示すような１００ｍｓ幅のパルス信号において、パルス出力がオフにされたパルスのオン時間が閾値（５０ｍｓ）未満である場合（ステップＳ２４；ＹＥＳ）、演算部１２は、このパルスが外部機器により受信されていないと判断する。そして、演算部１２は、記憶部１３に設けられたフラグ設定領域において、比較結果フラグを“１”にする（ステップＳ２５）。フラグ設定領域は、記憶部１３における不揮発性メモリに設けられている。これにより、演算部１２が後述するリセット処理を実行しても、比較結果フラグの値は保持される。
【００３８】
また、ステップＳ２４において、パルスのオン時間が閾値（５０ｍｓ）以上である場合（ステップＳ２４；ＮＯ）、演算部１２は、パルスが外部機器により受信されていると判断し、処理をステップＳ２６に移行する。また、ステップＳ２２で監視信号を受信したときのパルス出力がオンでない場合（ステップＳ２２；ＮＯ）には、演算部１２は、外部機器に受信されるべきパルスは無いと判断し、処理をステップＳ２６に移行する。
【００３９】
次に、第一の電圧値Ｖ１まで下がった電源電圧ＶＤＤがさらに低下し、第二の電圧値Ｖ２を下回ると、演算部１２は、リセット回路１７からリセット信号を受信し（ステップＳ２６；ＹＥＳ）、リセット処理を実行する（ステップＳ２７）。電源電圧ＶＤＤが第二の電圧値Ｖ２を下回らずに、ステップＳ２６でリセット信号が受信されなかった場合（ステップＳ２６；ＮＯ）、ＳＷリセット入力があると（ステップＳ２７；ＹＥＳ）、演算部１２はリセット処理を実行する（ステップＳ２８）。リセット処理では、積算熱量計１の内部回路及び内部状態を保持するレジスタが強制的に初期状態にされる。
【００４０】
演算部１２は、リセット処理を実行して、積算熱量計１の内部回路及び内部状態を保持するレジスタを初期状態にすると、電源電圧ＶＤＤが低下した場合における退避処理を終了する。その後、電源電圧ＶＤＤが定格電圧まで復帰すると、リセット回路１７はリセット解除信号を演算部１２に出力する。演算部１２は、リセット解除信号を受信すると、再び図２に示す、積算熱量計１の通常動作の処理を開始して、ステップＳ１１の起動処理から順番に各処理を実行する。
【００４１】
次に、積算熱量計１における起動処理について説明する。図５は、本発明の実施の形態に係る積算熱量計１における起動処理の一例を示すフローチャートである。図５に示すように、演算部１２は、まず、記憶部１３に記憶したフラグ設定領域の比較結果フラグの状態を読み出す（ステップＳ１１１）。フラグ設定領域における比較結果フラグの値が“１”である場合（ステップＳ１１２；ＹＥＳ）、演算部１２は、パルス出力がオンの状態から途中でオフになり外部機器により認識されなかったパルス（以下、「不足分パルス」という。）があると判断する。そして、演算部１２は、出力回路１６を介して不足分のパルスを外部機器へ出力する（ステップＳ１１３）。
【００４２】
より詳細には、演算部１２は、パルス変換部１２２に不足分パルスの出力指令信号を出力する。出力指令信号を受信したパルス変換部１２２は、パルス信号を１つ生成し、出力回路１６を介して外部機器に出力する。
【００４３】
次に、演算部１２は、記憶部１３のフラグ設定領域の比較結果フラグの値をクリアして（ステップＳ１１４）、起動処理を終了し、処理を図２のステップＳ１２に戻す。また、ステップＳ１１２において、比較結果フラグの値が“０”である場合（ステップＳ１１２；ＮＯ）においても、演算部１２は、起動処理を終了し、図２に示すステップＳ１２に処理を戻す。
【００４４】
このように、本実施の形態によれば、電源電圧ＶＤＤが第一の電圧値Ｖ１まで低下して監視信号を受信すると、演算部１２は、パルス出力がオンの場合のパルス出力をオフにして、そのパルスのオン時間と閾値とを比較する。パルスのオン時間が閾値未満である場合には、演算部１２は、記憶部１３の比較結果フラグの値を“１”にする。そして、演算部１２がリセット回路１７からリセット信号を受信して、積算熱量計１の内部回路を初期状態にした後に電源電圧ＶＤＤが復帰すると、演算部１２は比較結果フラグの値に基づいて、出力回路１６を介して不足分パルスを外部機器へ出力する。
【００４５】
よって、監視信号が発生してからリセット信号が発生するまでの、例えば、数ｍｓの時間内であっても、積算熱量計１から出力されるべきパルス数と、実際に出力されたパルス数、即ち、外部機器により受信されたパルス数との不一致を検出し、パルスの出力状態を保持しておくことが可能となる。そのため、積算熱量計１は、容量の大きいコンデンサ等の停電防止装置を用いる必要がなく、積算熱量計１の回路規模をより小さくすることができ、さらには積算熱量計１のサイズをより小さくすることができる。
【００４６】
本実施の形態で説明した積算熱量計１は、図６に示すように、バス１００を介して接続されるＣＰＵ１２ａ、記憶装置１３ａ、表示装置１４ａ、入力装置１５ａ、及びＩ／Ｆ１６ａを備えるコンピュータと、これらのハードウェア資源を制御するプログラムによって実現することができる。ＣＰＵ１２ａは、記憶装置１３ａに格納されたプログラムに従って本実施の形態で説明した処理を実行する。
【００４７】
以上、本発明の積算熱量計１における実施の形態について説明したが、本発明は説明した実施の形態に限定されるものではなく、請求項に記載した発明の範囲において当業者が想定し得る各種の変形を行うことが可能である。
【００４８】
例えば、本実施の形態では、パルス出力時間計測部１２３は、出力されるパルスのオン時間を計測し、記憶部１３に記憶する場合について説明した。パルス出力時間計測部１２３は、パルスのオン時間の計測に加えて、演算部１２（パルス変換部１２２）が出力済みのパルス数を計測し、不揮発メモリ（記憶部１３）に記憶してもよい。より詳細には、演算部１２がステップＳ１１の起動処理を実行した直後から、ステップＳ２０１で監視信号を受信するまでの期間に出力したパルスの総数を記憶部１３に記憶してもよい。これにより、演算部１２は、比較結果フラグの情報だけでなく、出力済みパルスの総数と照らし合わせて、不足分パルスの出力を行うことができる。よって、積算熱量計１により出力されるべきパルス数と実際に出力されたパルス数との不一致をより確実に防止することが可能となる。
【００４９】
また、本実施の形態では、積算熱量計を例に挙げて説明したが、本発明は、積算熱量計と同様のパルス出力を持つ、水道メータ、電気メータ、ガスメータ等の流量計にも適用可能である。物理量伝送装置が流量計である場合には、演算部１２は、熱量ではなく流量を積算する。
【符号の説明】
【００５０】
１、１ａ…積算熱量計、２ａ…送り管、２ｂ…返り管、３ａ、３ｂ…温度センサ、４…電源、１０…流量測定部、１１…Ａ／Ｄ変換部、１２…演算部、１２ａ…ＣＰＵ、１２１…熱量積算部、１２２…パルス変換部、１２３…パルス出力時間計測部、１３…記憶部、１３ａ…記憶装置、１４…表示部、１４ａ…表示装置、１５…設定部、１５ａ…入力装置、１６…出力回路、１６ａ…Ｉ／Ｆ、１００…バス。
【図１】
2018194991.tif 000003
【図２】
2018194991.tif 000004
【図３】
2018194991.tif 000005
【図４】
2018194991.tif 000006
【図５】
2018194991.tif 000007
【図６】
2018194991.tif 000008